(57)【要約】【課題】  ２つの表示器を備える図柄表示装置において、表示を択一的に行う。【解決手段】  図柄表示装置１は、３桁の図柄を表示する第１表示部１０と、第１表示部１０を隠蔽する閉鎖状態と隠蔽しない開放状態とに可変で、閉鎖位置になった際には７セグメント表示器を形成する表示扉１８、１９と、表示扉１８、１９を開閉駆動するためのモータ１４、１５とを備えたので、表示扉１８、１９を開放状態にして第１表示部１０だけで図柄を表示する動作（第１表示動作）と、表示扉１８、１９を閉鎖状態にして第１表示部１０を隠蔽して、第２の表示部である７セグメント表示器で図柄を表示する動作（第２表示動作）とが可能である。第１表示動作では第１表示部１０の図柄表示、第２表示動作では表示扉１８、１９による７セグメント表示器の図柄表示となり、択一的であるから遊技者が迷うおそれはない。【選択図】  図２９
2006020939.tif 000002
【特許請求の範囲】
【請求項１】
図柄を表示する第１の表示部と、
該第１の表示部を隠蔽する閉鎖状態と前記隠蔽しない開放状態とに可変で、前記第１の表示部とは別の図柄を表示する第２の表示部と、
該第２の表示部を開閉駆動する駆動手段と
を備えたことを特徴とする図柄表示装置。
【請求項２】
請求項１記載の図柄表示装置において、
前記第２の表示部は左半部と右半部とで構成され、
前記駆動手段は前記左半部と右半部とをそれぞれ独立に駆動する
ことを特徴とする図柄表示装置。
【請求項３】
請求項２記載の図柄表示装置において、
前記第２の表示部は、左半部と右半部がそれぞれの回動軸を中心として往復回動することにより前記閉鎖状態と開放状態とに変化する構成であり、
前記左半部及び右半部への配線が、それぞれの前記回動軸と同心の円筒状部材の内部を通されている
ことを特徴とする図柄表示装置。
【請求項４】
請求項２又は３記載の図柄表示装置において、
前記第２の表示部は、左半部又は右半部のみでの表示が可能である
ことを特徴とする図柄表示装置。
【発明の詳細な説明】
【技術分野】
【０００１】
本発明は、パチンコ機やパチスロ機等の遊技機に装着される図柄表示装置の技術分野に属する。
【背景技術】
【０００２】
遊技機に装着される図柄表示装置において、２つの表示器による重畳的な表示を可能にしたものがある（例えば特開２００１−２３８９９５号公報）。
この公開公報に開示の技術では、手前側に透明表示器（例えばＥＬ表示器）を配し、奥側にもう一つの表示器（例えばドラム式の表示器）を配した構造であるから、透明表示器に何も表示しなければ他の表示器の表示だけになり、両方の表示器で表示を行えば重畳表示となる。また、奥側の表示器は表示せずに（例えばドラムの照明を消して）、透明表示器だけで表示を行うことも可能である。
【特許文献１】特開２００１−２３８９９５号公報
【発明の開示】
【発明が解決しようとする課題】
【０００３】
特許文献１の図柄表示装置においては、２つの表示器で重畳表示できるので、その表示態様によっては遊技者がどちらを見ればよいのか迷う（表示内容が不明瞭となる）おそれがあった。
【課題を解決するための手段】
【０００４】
請求項１記載の図柄表示装置は、図柄を表示する第１の表示部と、該第１の表示部を隠蔽する閉鎖状態と前記隠蔽しない開放状態とに可変で、前記第１の表示部とは別の図柄を表示する第２の表示部と、該第２の表示部を開閉駆動する駆動手段とを備えたので、
第２の表示部を開放状態にして第１の表示部だけで図柄を表示する動作（第１表示動作）と、第２の表示部を閉鎖状態にして第１の表示部を隠蔽して第２の表示部で図柄を表示する動作（第２表示動作）とが可能である。第１表示動作では第１の表示部の図柄表示、第２表示動作では第２の表示部の図柄表示となり、択一的であるから遊技者が迷うおそれはない。
【０００５】
上述したとおり、特許文献１の図柄表示装置においても択一的な表示動作は可能であるが、その状態から重畳表示になることがある。しかも、この変化は突然に起こる。従って遊技者があわてたりとまどったりするおそれがある。
【０００６】
しかし、請求項１の図柄表示装置においては、第１表示動作と第２表示動作との切り替わりに際しては必ず第２の表示部の開閉変化を伴い、これが予告となるので遊技者はゆとりを持って切り替わりを待つことができる。
【０００７】
また、例えば第１表示動作が通常の遊技状態、第２表示動作が高確率状態というように、第１表示動作と第２表示動作とが遊技状態の何らかの変化に対応していれば、第２の表示部の開閉変化が遊技状態変更の予告ともなるので、これによっても遊技者を楽しませることができる。
【０００８】
第２の表示部は、例えば１枚構造として、これを上下方向や左右方向に移動させることで開閉変化させてもよいし、請求項２記載のように左半部と右半部とで構成してもよい。また、３分割や４分割としてもよい。
【０００９】
但し、１枚構造であると開閉変化させる際の移動量が大きくなる（大きなスペースを要する）。また、３分割や４分割であると（或いはそれ以上でも）構造が複雑化しすぎる。こうした要素を考慮すると２分割の構成が好ましい。特に、請求項２記載のように左半部と右半部とで構成し、それらを横方向に移動させるなら重力に逆らわない移動となるので、その分だけ少ない駆動力でよくなる。つまり、駆動源となるモータやソレノイド等のアクチュエータは大きな出力を要求されない（一般的には小型化できる。）。
【００１０】
請求項２記載の図柄表示装置は、請求項１記載の図柄表示装置において、前記第２の表示部は左半部と右半部とで構成され、前記駆動手段は前記左半部と右半部とをそれぞれ独立に駆動するので、上述の通りのメリットがある。さらに、駆動手段は左半部と右半部とをそれぞれ独立に駆動するから、半開（半閉）や、片方は閉じて他方を開閉する等の動作も可能である。
【００１１】
また、請求項２記載の図柄表示装置において請求項４記載の構成、すなわち、前記第２の表示部は、左半部又は右半部のみでの表示が可能である構成を採用すれば、左半部と右半部とが独立に駆動される変化と表示上の変化とを併用できる。
【００１２】
請求項３記載の図柄表示装置は、請求項２記載の図柄表示装置において、前記第２の表示部は、左半部と右半部がそれぞれの回動軸を中心として往復回動することにより前記閉鎖状態と開放状態とに変化する構成であり、前記左半部及び右半部への配線が、それぞれの前記回動軸と同心の円筒状部材の内部を通されている。
【００１３】
第２の表示部の左半部と右半部がそれぞれの回動軸を中心として往復回動し、左半部及び右半部への配線が回動軸と同心の円筒状部材の内部を通されているので、配線には若干のねじれ変化が生じるものの、曲げ伸ばし変化や配線長さの変化は生じない。よって、曲げ伸ばし変化等で配線が傷んだり、例えばコネクタとの連結部分に繰り返し荷重が掛かって断線するおそれはない。
【発明を実施するための最良の形態】
【００１４】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
この実施例は本発明をパチンコ機用の図柄表示装置として具体化した例である。
【００１５】
図柄表示装置１は、プラスチック製の上ケース３と下ケース４とを図示しないビスによって連結して形成された筐体５に各部を収容、保持する構成であり、ユニット化されている。
【００１６】
上ケース３の上面にはコネクタ６備えた中継基板７が取り付けられており、図柄表示装置１の電気部品（後述するＬＥＤ、モータ、光センサなど）は、中継基板７を介して図柄表示装置１を制御する制御基板（例えば主制御基板）と接続される。
【００１７】
筐体５は前面側が開放された箱状であり、その中央部にプラスチック製の中筐体８が取り付けられている。
中筐体８には３個の７セグメントＬＥＤからなる第１表示部１０が取り付けられており、前面には第１表示部１０を臨ませるための略長方形の窓１１が設けられている。
【００１８】
中筐体８には天井１２、床１３があり、それぞれ２つのモータ（本実施例ではステッピングモータ）１４、１５、１６、１７が取り付けられている。これらのモータ１４、１５、１６、１７は駆動手段の一部（駆動源）となる。
【００１９】
中筐体８の外周に沿わせるようにして、第２の表示部となる表示扉１８、１９が配されている。
表示扉１８、１９は閉鎖位置（図１、図２７参照）と開放位置（図３、図２９参照）とに変位可能で、双方が閉鎖位置になった際には図１、図２７等に示されるとおり７セグメント表示器を形成する。
【００２０】
表示扉１８、１９の本体部分は不透明なプラスチック製であるが、セグメント２０となる部分は透光性のプラスチック（例えばポリカーボネート）である。なお、横方向の３本のセグメントは、それぞれ表示扉１８側と表示扉１９側とに２分割されているので、実際のセグメント数は１０（表示扉１８、１９に各５セグメント）である。
【００２１】
表示扉１８、１９の背面には上記の各セグメント２０を発光させるためのＬＥＤが実装されたフレキシブル基板２１、２２が装着され、それを不透明なプラスチック製の裏板２３、２４で覆っている。
【００２２】
表示扉１８、１９の上部は連結部２５により筒状軸（円筒状部材に該当）２６に連結されている。
筒状軸２６の上端は上ケース３に設けられた軸端収容部２７に達しており、筒状軸２６の内孔２６ａは連結部２５の内部空間２５ａと連通している。そして、中継基板７からフレキシブル基板２１、２２のコネクタ２１ａに至る配線ハーネス（図示略）が、軸端収容部２７に設けられた円形の開口２７ａ、内孔２６ａ、内部空間２５ａを通っている。
【００２３】
また連結部２５の下面には、筒状軸２６と同軸の主軸２８が連設されている。主軸２８は中筐体８の天井１２に設けられた上軸受部３１に挿入されている。主軸２８も筒状軸２６と同様に筒状であり、中継基板７からの配線ハーネス（図示略）が開口２７ａ、内孔２６ａ及び主軸２８を通って第１表示部１０のコネクタ１０ａに至っている。
【００２４】
さらに、連結部２５の下面から張り出すようにして、主軸２８を中心とする従動ギヤ３２が設けられている。一方、モータ１４、１５の出力軸は中筐体８の天井１２を貫通しており、出力軸の先端部に駆動ギヤ３４が取り付けられている。そして、表示扉１８の従動ギヤ３２はモータ１４の駆動ギヤ３４と歯合し、表示扉１９の従動ギヤはモータ１５の駆動ギヤと歯合している。
【００２５】
また、表示扉１８、１９の下部は板状の連結部３７により下軸３８に連結されている。下軸３８は、主軸２８及び筒状軸２６と同軸であり、中筐体８の床１３に設けられた下軸受部４１に挿入されている。
【００２６】
こうした構成であるので、モータ１４を回転させれば回動軸に相当する主軸２８及び下軸３８を中心として表示扉１８を回動させることができ、同様にモータ１５により表示扉１９を回動させることができる。モータ１４、１５はステッピングモータであり、正逆回転可能なので、その回転方向、回転量（ステップ数）を制御することで表示扉１８、１９を開閉できる。
【００２７】
なお、中筐体８の側部には表示扉１８、１９に設けられたセンサ用突起４２を検出するための光センサ６１が設置されており、表示扉１８、１９が開放位置になったことを検出できる。
【００２８】
これら表示扉１８、１９の外側には窓扉４３、４４が配されている。
窓扉４３、４４は閉鎖位置（図２、図２８参照）と開放位置（図１、図２７参照）とに変位可能で、双方が閉鎖位置になった際には図２、図２８等に示されるとおり略長方形の窓４５を形成する。この窓４５の位置は中筐体８に設けられた第１表示部１０のための窓１１に対応しており（但し、一回り大きい。）、窓扉４３、４４を閉鎖位置にしても（表示扉１８、１９が開いている条件で）窓４５から第１表示部１０が見える。
【００２９】
窓扉４３、４４の上部は連結部４７により円筒状の上軸筒４８に連結され、下部は連結部４９により円筒状の下軸筒５１に連結されている。上軸筒４８はブッシュ５２を介して筒状軸２６に外嵌し、下軸筒５１はブッシュ５３を介して下軸３８に外嵌している。また、下軸筒５１には従動ギヤ５４が嵌着されている。
【００３０】
一方、モータ１６、１７の出力軸は中筐体８の床１３を貫通しており、出力軸の先端部に駆動ギヤ５６が取り付けられている。そして、窓扉４３、４４の従動ギヤ５４は、それぞれモータ１６、１７の駆動ギヤ５６と歯合している。
【００３１】
こうした構成であるので、モータ１４を回転させれば上軸筒４８、下軸筒５１を中心として窓扉４３を回動させることができ、同様にモータ１７により窓扉４４を回動させることができる。モータ１６、１７はステッピングモータであり、正逆回転可能なので、その回転方向、回転量（ステップ数）を制御することで窓扉４３、４４を開閉できる。
【００３２】
なお、上ケース３には窓扉４３、４４に設けられたセンサ用突起６２を検出するための光センサ６３が設置されており、窓扉４３、４４が閉鎖位置になったことを検出できる。
この図柄表示装置１は、３桁の図柄を表示する第１表示部１０と、第１表示部１０を隠蔽する閉鎖状態と隠蔽しない開放状態とに可変で、閉鎖位置になった際には７セグメント表示器を形成する表示扉１８、１９と、表示扉１８、１９を開閉駆動するためのモータ１４、１５とを備えたので、表示扉１８、１９を開放状態にして第１表示部１０だけで図柄を表示する動作（第１表示動作）と、表示扉１８、１９を閉鎖状態にして第１表示部１０を隠蔽して、第２の表示部である７セグメント表示器で図柄を表示する動作（第２表示動作）とが可能である。第１表示動作では第１表示部１０の図柄表示、第２表示動作では表示扉１８、１９による７セグメント表示器の図柄表示となり、択一的であるから遊技者が迷うおそれはない。
【００３３】
しかも、図柄表示装置１においては、第１表示動作と第２表示動作との切り替わりに際しては必ず表示扉１８、１９の開閉変化を伴うので、これが予告となるから遊技者はゆとりを持って切り替わりを待つことができる。
【００３４】
表示扉１８、１９が左半部と右半部とで構成されていて、それらを横方向に移動させる（重力に逆らわない移動）ので、駆動源となるモータ１４、１５は大きな出力を要求されない（小型化できる。）。
【００３５】
また表示扉１８はモータ１４にて、表示扉１９はモータ１５にて、互いに独立に駆動されるので、半開（半閉）や、片方は閉じて他方を開閉する等の動作も可能である。
表示扉１８、１９は、それぞれ回動軸を中心として往復回動することにより閉鎖状態と開放状態とに変化する構成であり、表示扉１８、１９への配線が、それぞれの回動軸と同心の筒状軸２６の内部を通されているので、配線には若干のねじれ変化が生じるものの、曲げ伸ばし変化や配線長さの変化は生じない。よって、曲げ伸ばし変化等で配線が傷んだり、例えばコネクタとの連結部分に繰り返し荷重が掛かって断線するおそれはない。
【００３６】
さらに、この図柄表示装置１は、表示扉１８、１９の外側に窓扉４３、４４を備えており、これらも表示扉１８、１９と同様に開閉されるので、窓扉４３、４４を閉じて第１表示部１０だけを見させたり、窓扉４３、４４を開けて第１表示部１０と表示扉１８、１９による７セグメント表示器とを切り替え的に見せたりできる。
【００３７】
なお、実施例では表示扉１８、１９が開放位置になったことを検出するための光センサ６１及び窓扉４３、４４が閉鎖位置になったことを検出するための光センサ６３を設けているが、表示扉１８、１９、窓扉４３、４４とも開放位置と閉鎖位置を検出する構成にできることはいうまでもない。そのように構成すれば、ステッピングモータを使用しなくてもよい。
【図面の簡単な説明】
【００３８】
【図１】実施例の図柄表示装置の窓扉を開けて表示扉を閉じた状態の正面図。
【図２】実施例の図柄表示装置の窓扉を閉じて表示扉を開けた状態の正面図。
【図３】実施例の図柄表示装置の窓扉、表示扉とも開けた状態の正面図。
【図４】実施例の図柄表示装置の背面図。
【図５】実施例の図柄表示装置の背面側斜視図。
【図６】窓扉を開けて表示扉を閉じた状態のＣ−Ｃ断面斜視図。
【図７】窓扉を閉じて表示扉を開けた状態のＣ−Ｃ断面斜視図。
【図８】窓扉、表示扉とも開けた状態のＣ−Ｃ断面斜視図。
【図９】窓扉を開けて表示扉を閉じた状態のＨ−Ｈ断面図。
【図１０】窓扉を閉じて表示扉を開けた状態のＨ−Ｈ断面図。
【図１１】窓扉、表示扉とも開けた状態のＨ−Ｈ断面図。
【図１２】窓扉を開けて表示扉を閉じた状態のＣ−Ｃ断面図。
【図１３】窓扉を閉じて表示扉を開けた状態のＣ−Ｃ断面図。
【図１４】窓扉、表示扉とも開けた状態のＣ−Ｃ断面図。
【図１５】実施例の図柄表示装置の窓扉を開けて表示扉を閉じた状態の平面図。
【図１６】実施例の図柄表示装置の窓扉を閉じて表示扉を開けた状態の平面図。
【図１７】実施例の図柄表示装置の窓扉、表示扉とも開けた状態の平面図。
【図１８】窓扉を開けて表示扉を閉じた状態のＡ−Ａ断面図。
【図１９】窓扉を閉じて表示扉を開けた状態のＡ−Ａ断面図。
【図２０】窓扉、表示扉とも開けた状態のＡ−Ａ断面図。
【図２１】実施例の図柄表示装置の窓扉を開けて表示扉を閉じた状態の側面図。
【図２２】実施例の図柄表示装置の窓扉を閉じて表示扉を開けた状態の側面図。
【図２３】実施例の図柄表示装置の窓扉、表示扉とも開けた状態の側面図。
【図２４】窓扉を開けて表示扉を閉じた状態のＡ−Ａ断面斜視図。
【図２５】窓扉を閉じて表示扉を開けた状態のＡ−Ａ断面斜視図。
【図２６】窓扉、表示扉とも開けた状態のＡ−Ａ断面斜視図。
【図２７】実施例の図柄表示装置の窓扉を開けて表示扉を閉じた状態の前面側斜視図。
【図２８】実施例の図柄表示装置の窓扉を閉じて表示扉を開けた状態の前面側斜視図。
【図２９】実施例の図柄表示装置の窓扉、表示扉とも開けた状態の前面側斜視図。
【符号の説明】
【００３９】
１・・・図柄表示装置、
５・・・筐体、
７・・・中継基板、
８・・・中筐体、
１０・・・第１表示部、
１４、１５・・・モータ（駆動手段）、
１６、１７・・・モータ、
１８・・・表示扉（第２の表示部）、
１９・・・表示扉（第２の表示部）、
２１・・・フレキシブル基板、
２５ａ・・・内部空間、
２６・・・筒状軸（円筒状部材）、
２６ａ・・・内孔、
２７・・・軸端収容部、
２８・・・主軸、
３１・・・上軸受部、
３２・・・従動ギヤ（駆動手段）、
３４・・・駆動ギヤ（駆動手段）、
３７・・・連結部、
３８・・・下軸、
４１・・・下軸受部、
４３、４４・・・窓扉。
【図１】
2006020939.tif 000003
【図２】
2006020939.tif 000004
【図３】
2006020939.tif 000005
【図４】
2006020939.tif 000006
【図５】
2006020939.tif 000007
【図６】
2006020939.tif 000008
【図７】
2006020939.tif 000009
【図８】
2006020939.tif 000010
【図９】
2006020939.tif 000011
【図１０】
2006020939.tif 000012
【図１１】
2006020939.tif 000013
【図１２】
2006020939.tif 000014
【図１３】
2006020939.tif 000015
【図１４】
2006020939.tif 000016
【図１５】
2006020939.tif 000017
【図１６】
2006020939.tif 000018
【図１７】
2006020939.tif 000019
【図１８】
2006020939.tif 000020
【図１９】
2006020939.tif 000021
【図２０】
2006020939.tif 000022
【図２１】
2006020939.tif 000023
【図２２】
2006020939.tif 000024
【図２３】
2006020939.tif 000025
【図２４】
2006020939.tif 000026
【図２５】
2006020939.tif 000027
【図２６】
2006020939.tif 000028
【図２７】
2006020939.tif 000029
【図２８】
2006020939.tif 000030
【図２９】
2006020939.tif 000031